(57)【要約】【課題】ＩＣカード等の会員証を所有していなくても駐車場利用ができるようにする。【解決手段】車両１に取り付けられ、車両情報が登録された電子ナンバープレート２と、駐車場の入口ゲートにおける車両通路３に設置された電子ナンバープレート通信装置４と、駐車場を予約したユーザの車両情報が登録され、その情報を管理しておく予約車両管理ＤＢ５とを有し、電子ナンバープレート通信装置４と電子ナンバープレート２との間で通信を行うことにより、電子ナンバープレート２に登録された車両情報を読み取り、その読み取った内容と管理ＤＢ５に管理されている車両情報とに基づいて、電子ナンバープレート２が取付けられた車両１が駐車場の予約車両であるか否かを判定する。【選択図】        図１
2004302866.tif 000002
【特許請求の範囲】
【請求項１】
車両（１）に取り付けられ、前記車両の情報が登録された電子ナンバープレート（２）と、
駐車場の入口ゲートにおける車両通路（３）に設置された電子ナンバープレート通信装置（４）と、
前記駐車場を予約したユーザの車両の情報が登録され、その情報を管理しておく管理部（５）とを有し、
前記電子ナンバープレート通信装置と前記電子ナンバープレートとの間で通信を行うことにより、前記電子ナンバープレートに登録された前記車両の情報を読み取り、その読み取った内容と前記管理部に管理されている前記車両の情報とに基づいて、前記電子ナンバープレートが取付けられた前記車両が前記駐車場を予約したユーザの車両であるか否かを判定するようになっていることを特徴とする駐車場予約システム。
【請求項２】
前記ユーザが使用する端末（ＵＭ）を有し、通信ネットワーク（ＴＮ）を介して前記管理部に前記ユーザの車両情報が登録されるように構成されていることを特徴とする請求項１に記載の駐車場予約システム。
【請求項３】
前記電子ナンバープレート通信装置は、前記車両に対して前記電波を照射すると共に、前記電子ナンバープレートが発する前記車両の情報を含む電波を受信する読取部（４ｃ）と、
前記通信部が受信した電波に基づき、前記車両の情報を前記管理部に送るデータ処理装置（４ｄ）とを有し、
前記管理部は、この管理部内に登録された前記車両の情報と前記データ処理装置から送られた前記車両の情報とを照合することにより、前記判定を行うようになっていることを特徴とする請求項１又は２に記載の駐車場予約システム。
【請求項４】
前記管理部は、前記車両の情報をリスト化して登録しておく駐車場予約情報リスト機能を有しており、この駐車場予約情報リスト内を検索することにより、前記データ処理装置から送られた前記車両の情報との照合を行うようになっていることを特徴とする請求項３に記載の駐車場予約システム。
【請求項５】
前記電子ナンバープレート通信装置には前記車両の通過を禁止するためのゲート（４ａ）が備えられ、
前記車両が前記駐車場の予約をした前記ユーザの車両であった場合には、前記ゲートを開閉動作させるようになっていることを特徴とする請求項１乃至４のいずれか１つに記載の駐車場予約システム。
【請求項６】
前記電子ナンバープレート通信装置には掲示板（４ｂ）が備えられ、前記車両が前記駐車場の予約をした前記ユーザの車両であった場合には、前記掲示板にて、前記ユーザに予約車両用駐車場へ誘導する指示を表示するようになっていることを特徴とする請求項１乃至５のいずれか１つに記載の駐車場予約システム。
【請求項７】
前記駐車場の出口ゲートにおける車両通路（３）にも前記電子ナンバープレート通信装置（４）が設置されており、
前記電子ナンバープレート通信装置と前記電子ナンバープレートとの間で通信を行うことにより、前記電子ナンバープレートに登録された前記車両の情報を読み取り、その読み取った内容と前記管理部に管理されている前記車両の情報とに基づいて、前記電子ナンバープレートが取付けられた前記車両の駐車場予約時間を求めるようになっていることを特徴とする請求項１乃至６のいずれか１つに記載の駐車場予約システム。
【請求項８】
前記出口ゲートにおける前記電子ナンバープレート通信装置は、前記車両の駐車場利用時間が予約された利用時間を超えている場合には、追加料金を請求するようになっていることを特徴とする請求項７に記載の駐車場予約システム。
【請求項９】
管理部（５）に、駐車場を予約したユーザの車両（１）の情報を登録し、その情報を管理しておき、
前記車両（１）に取り付けられると共にこの車両の情報が登録された電子ナンバープレート（２）と、前記駐車場の入口ゲートにおける車両通路（３）に設置された電子ナンバープレート通信装置（４）との間で通信を行い、前記電子ナンバープレートに登録された前記車両の情報を読み取り、その読み取った内容と前記管理部に管理されている前記車両の情報とに基づいて、前記電子ナンバープレートが取付けられた前記車両が前記駐車場を予約したユーザの車両であるか否かを判定することを特徴とする駐車場予約方法。
【請求項１０】
車両通路（３）に設置され、車両（１）に取り付けられた電子ナンバープレート（２）と通信を行う電子ナンバープレート通信装置（４）であって、
前記電子ナンバープレート通信装置と前記電子ナンバープレートとの間で通信を行うことにより、前記電子ナンバープレートに登録された前記車両の情報を読み取り、駐車場を予約したユーザの車両の情報が登録された管理部（５）に、その読み取った内容を送ると共に、前記管理部で前記車両が前記駐車場を予約したユーザの車両であるか否かの判定結果に基づいて、前記車両を予約者用の駐車場に誘導するように構成された電子ナンバープレート通信装置。
【発明の詳細な説明】
【０００１】
【発明の属する技術分野】
本発明は、車両側に取り付けられる電子ナンバープレート（スマートプレート）と道路（車両通路）側に設置される電子ナンバープレート通信装置との間において通信を行うことで駐車場予約者の車両を特定する駐車場予約システム、駐車場予約方法およびそれに用いる電子ナンバープレート通信装置に関する。
【０００２】
【従来の技術】
従来、ＩＣカードの会員証を使用した駐車場予約システムがある。これは、駐車場利用時に予め会員証に記憶されている会員番号などを利用して、駐車場を予約し、駐車場利用時には、ＩＣカードの読取り（Ｒｅａｄｉｎｇ）およびＩＣカードへの書き込み（Ｗｒｉｔｉｎｇ）を行うＩＣカードＲ／Ｗ装置にＩＣカードを挿入し、駐車場の予約者か否かを確認することで車両の入庫を許可するというものである。
【０００３】
【特許文献１】
特開２００２−１９５６１９号公報
【０００４】
【発明が解決しようとする課題】
しかしながら、上記のようなＩＣカード用いた駐車場予約システムにおいては、予めＩＣカードの会員証を作成しておかなければ車両の入庫を許可することができない。駐車場の長期契約者のように会員証作成できるユーザであれば良いが、観光目的などで一時的に駐車場を予約しておきたいユーザに対してはシステムを利用することが難しい。
【０００５】
また、このシステムでは、ユーザが会員証を駐車場利用時に常時携帯しなければならず、また利用する度に会員証をＩＣカードＲ／Ｗ装置に挿入しなければならないという問題がある。
【０００６】
そこで、上記問題に鑑みて、本発明は、ＩＣカード等の会員証を所有していなくても駐車場利用ができるような駐車場予約システム、その方法およびそれに用いる電子ナンバープレート通信装置を提供することを目的とする。
【０００７】
【課題を解決するための手段】
上記目的を達成するため、請求項１に記載の発明では、車両（１）に取り付けられ、車両の情報が登録された電子ナンバープレート（２）と、駐車場の入口ゲートにおける車両通路（３）に設置された電子ナンバープレート通信装置（４）と、駐車場を予約したユーザの車両の情報が登録され、その情報を管理しておく管理部（５）とを有し、電子ナンバープレート通信装置と電子ナンバープレートとの間で通信を行うことにより、電子ナンバープレートに登録された車両の情報を読み取り、その読み取った内容と管理部に管理されている車両の情報とに基づいて、電子ナンバープレートが取付けられた車両が駐車場を予約したユーザの車両であるか否かを判定するようになっていることを特徴としている。
【０００８】
このように、駐車場を予約したユーザの車両の情報を予め管理部に登録しておき、ユーザが駐車場を利用する時に電子ナンバープレートに登録されている車両情報と管理部に登録されている車両情報とを比較することにより、予約済みの車両であるか否かを判定することができる。これにより、ＩＣカード等の会員証を所有していなくても駐車場利用ができる。
【０００９】
このような駐車場予約システムでは、例えば、請求項２に示すように、ユーザが端末（ＵＭ）を使用して、通信ネットワーク（ＴＮ）を介して管理部にユーザの車両情報を登録することもできるし、電話等によって車両情報を登録することも可能である。
【００１０】
請求項３に記載の発明では、電子ナンバープレート通信装置は、車両に対して電波を照射すると共に、電子ナンバープレートが発する車両の情報を含む電波を受信する読取部（４ｃ）と、通信部が受信した電波に基づき、車両の情報を管理部に送るデータ処理装置（４ｄ）とを有し、管理部は、この管理部内に登録された車両の情報とデータ処理装置から送られた車両の情報とを照合することにより、判定を行うようになっていることを特徴としている。
【００１１】
このように、電子ナンバープレート通信装置に備えられたデータ処理装置を介して管理部に電子ナンバープレートから受け取った車両の情報を送ることが可能である。
【００１２】
請求項４に記載の発明では、管理部は、車両の情報をリスト化して登録しておく駐車場予約情報リスト機能を有しており、この駐車場予約情報リスト内を検索することにより、データ処理装置から送られた車両の情報との照合を行うようになっていることを特徴としている。このように、管理部で駐車場予約情報リストを作成しておき、そのリストから車両情報を検索照合することにより、車両の特定を行うことができる。
【００１３】
請求項５に記載の発明では、電子ナンバープレート通信装置には車両の通過を禁止するためのゲート（４ａ）が備えられ、車両が駐車場の予約をしたユーザの車両であった場合には、ゲートを開閉動作させるようになっていることを特徴としている。
【００１４】
このように、駐車場を予約した車両であった場合には、ゲートを開閉動作させるようにすることで、車両が駐車場を利用することを許可することができる。
【００１５】
請求項６に記載の発明では、電子ナンバープレート通信装置には掲示板（４ｂ）が備えられ、車両が駐車場の予約をしたユーザの車両であった場合には、掲示板にて、ユーザに予約車両用駐車場へ誘導する指示を表示するようになっていることを特徴としている。このように、掲示板を用いてユーザに予約車両用駐車場へ誘導することも可能である。
【００１６】
請求項７に記載の発明では、駐車場の出口ゲートにおける車両通路（３）にも電子ナンバープレート通信装置（４）が設置されており、電子ナンバープレート通信装置と電子ナンバープレートとの間で通信を行うことにより、電子ナンバープレートに登録された車両の情報を読み取り、その読み取った内容と管理部に管理されている車両の情報とに基づいて、電子ナンバープレートが取付けられた車両の駐車場利用時間を求めるようになっていることを特徴としている。
【００１７】
このように、電子ナンバープレート通信装置を出口ゲートとして利用し、駐車場利用時間を求めることも可能である。その場合、請求項８に示すように、出口ゲートにおける電子ナンバープレート通信装置は、車両の駐車場利用時間が予約された利用時間を超えている場合には、追加料金を請求するように構成されることができる。
【００１８】
請求項９に記載の発明は、電子ナンバープレート通信システムを利用した駐車場予約方法に関するもので、請求項１と同様の効果を得ることができる。また、請求項１０に記載の発明は、駐車場予約システムに適用される電子ナンバープレート通信システムの電子ナンバープレート通信装置に関するもので、請求項１と同様の効果を得ることができる。
【００１９】
なお、上記各手段の括弧内の符号は、後述する実施形態に記載の具体的手段との対応関係を示すものである。
【００２０】
【発明の実施の形態】
（第１実施形態）
以下、本発明の第１実施形態について説明する。図１は、本発明の一実施形態に適用される駐車場予約システムの模式図である。ここで示す駐車場予約（利用）システムは、ホテルやテーマパーク等を利用するユーザがそこの駐車場を予約するために用いるものであり、ホテル・テーマパーク利用予約と共に使用される。
【００２１】
図１に示されるように、駐車場予約システムには電子ナンバープレート通信システムＥＳが利用され、この電子ナンバープレート通信システムＥＳと駐車場予約管理システムＰＳ、予約オペレーションシステムＲＳ、および通信ネットワークＮＴを介してユーザに使用されるユーザ端末ＵＭとを有して構成されている。
【００２２】
電子ナンバープレート通信システムＥＳは、車両１側に取り付けられる電子ナンバープレート２と、道路３側に設置される電子ナンバープレート通信装置４とを有している。
【００２３】
電子ナンバープレート２は、車両１のナンバープレートに取り付けられるもので、取り付けられた車両１に関する車両情報、例えば車両１の自動車登録番号や車両１の持ち主の名称などを電波として出力している。
【００２４】
電子ナンバープレート通信装置４は、駐車場の出入口それぞれのゲートとして用いられるもので、電子ナンバープレート２との間における通信を行うことで所定の処理を実行する。この電子ナンバープレート通信装置４は、ゲート４ａ、電光掲示板４ｂ、電子ナンバープレート読取装置４ｃおよびデータ処理装置４ｄを備えている。
【００２５】
ゲート４ａは、入口ゲートでは車両１が駐車場に無条件に進入することを禁止し、出口ゲートでは車両１が駐車場から外へ無条件に出ることを禁止するためのものである。このゲート４ａは、データ処理装置４ｃからの指令信号に基づいて駆動され、所定条件を満たした時に開かれて車両１の進入を許可するようになっている。
【００２６】
電光掲示板４ｂは、入口ゲートではユーザに対する駐車場案内を行い、出口ゲートでは料金確認情報を提供するためのものである。例えば、予約者用の駐車場へお進み下さい等の駐車場案内情報や、追加料金に関する料金情報が電光掲示板４ｂに表示される。
【００２７】
電子ナンバープレート読取装置４ｃは、電子ナンバープレート２が出力する電波を受信し、受け取った電波を信号に変換してデータ処理装置４ｄに送る役割を果たす。なお、図示しないが、この電子ナンバープレート通信装置４には、光学センサなどによる車両感知部が備えられており、この信号がデータ処理装置４ｄに送られることで、車両１が電子ナンバープレート通信装置４の通信エリアに入ったか否かが検出できるようになっている。
【００２８】
データ処理装置４ｄは、各種演算等の処理を実行できるパーソナルコンピュータ等で構成される。このデータ処理装置４ｄは、電子ナンバープレート読取装置４ｃが受け取った電波に基づく信号を分析し、その車両１がどのような車かを特定するための信号を駐車場予約管理システムＲＳに送る。そして、駐車場予約管理システムＲＳにて検索、照合がなされ、車両１が駐車場を予約したユーザのものか否かが特定されると、データ処理装置４ｄがその結果を受け取り、その結果に応じてゲート４ａへ指令信号を送るようになっている。
【００２９】
このような電子ナンバープレート通信装置４により、電子ナンバープレート２が出力する電波を受信し、その電波に収容されている車両情報を元に、その車両１がどのような車かを特定する。そして、入口ゲートにおける電子ナンバープレート通信装置４は、車両１が駐車場の予約者（契約者）のものとして登録されているものであるか否かを判定し、登録されているものである場合には、ゲート４ａを開け、車両１が駐車場へ進入するのを許可する。また、出口ゲートにおける電子ナンバープレート通信装置４は、電子ナンバープレート２から車両情報を読み取って車両１を特定し、その車両１の駐車場利用時間が所定時間内であるか否かを判定する。そして、所定時間内であればそのままゲートを通し、所定時間を超えている場合には追加料金を徴収する。
【００３０】
ユーザ端末ＵＭは、通信ネットワークＮＴを通じて駐車場やホテル・テーマパークの利用の予約を行うものであり、例えば、ユーザ所有のパーソナルコンピュータ等がユーザ端末ＵＭとして用いられる。このユーザ端末ＵＭのディスプレイを通じてユーザの利用情報、例えば車両情報として電子ナンバープレート２に格納されている自動車登録番号や駐車場の利用期間等を入力したり、ホテル・テーマパーク利用情報としてホテル・テーマパークの利用期間やユーザの名前や人数などの利用者情報等を入力するようになっている。そして、利用期間に応じた利用金額を電子決済を利用して支払う。
【００３１】
予約オペレーションシステムＲＳは、利用するテーマパーク、ホテル、一般駐車場などに設置されるもので、通信ネットワークＴＮを通じてユーザ端末ＵＭから入力されたユーザの利用情報から入力事項の過不足、電子決済の完了などを確認し、予約情報を駐車場予約管理システムＲＳに入力する。そして、この入力が完了すると、予約が完了した旨の信号をユーザ端末ＵＭに送るようになっている。
【００３２】
駐車場予約システムＲＳは、データ信号の送受信、各種演算等が行えるパーソナルコンピュータ等で構成されている。この駐車場予約システムＲＳには、予約車両管理データベース（ＤＢ）５と利用者予約管理ＤＢ６が備えられている。予約車両管理ＤＢ５は、駐車場の予約状況を管理するもので、駐車場が満車か空車かを示す駐車場満空情報やユーザからの駐車場予約情報のリスト作成機能を有している。具体的には、この予約車両管理ＤＥ５に、駐車場を利用する車両１の自動車登録番号や利用日時等が記憶される。また、予約車両管理ＤＢ５には、データ処理装置４ｄから車両１の車両情報を含む信号が送られるようになっている。予約車両管理ＤＢ６は、その車両情報と駐車場予約情報のリストとを比較し、その車両１が利用予約したユーザのものか否か等を判定すると共に、その判定結果に応じた指令信号をデータ処理装置４ｄに送るようになっている。
【００３３】
利用予約管理ＤＢ６は、ユーザを管理するためのもので、ホテル・テーマパークを利用するユーザ情報のリスト作成機能を有している。具体的には、この利用予約管理ＤＢ６に、ユーザの名前、人数等のユーザ利用情報が登録される。
【００３４】
続いて、本実施形態における駐車場予約システムの各部が実行する処理について説明する。図２は、予約オペレーションシステムＲＳが実行する処理を示している。図３は、入口ゲートの電子ナンバープレート通信装置４が実行する処理を示しており、図４は、入口ゲートの電子ナンバープレート通信装置４の処理に対応して駐車場予約管理システムＰＳが実行する処理を示している。また、図５は、出口ゲートの電子ナンバープレート通信装置４が実行する処理を示しており、図６は、出口ゲートの電子ナンバープレート通信装置４の処理に対応して駐車場予約管理システムＰＳが実行する処理を示している。
【００３５】
ユーザが駐車場、ホテル・テーマパークを利用する際、それに先立ち、ユーザ端末ＵＭを用いてそれらの予約を行う。具体的には、通信ネットワークＴＮを介してユーザ端末ＵＭを予約オペレーションシステムに接続し、所定の事項を入力することにより予約が行われる。この時、予約オペレーションシステムＲＳは、図２に示す処理を実行する。
【００３６】
まず、ステップ１１０では、必要事項を入力させる処理を実行する。つまり、ユーザ端末ＵＭのディスプレイにユーザ利用情報を記載させるフォーマットを表示させ、その空欄部分をユーザに埋めさせる。
【００３７】
そして、ステップ１２０に進み、空欄部分に入力洩れがあるか否かを判定し、入力洩れがなければステップ１３０に進み、入力洩れがある場合には再度ステップ１１０に戻り、必要事項の入力洩れ部分を記載させる。
【００３８】
ステップ１３０では、入力されたユーザ利用情報に基づいて駐車場利用者か否かを判定する。そして、駐車場利用者であればステップ１４０にて予約車両管理ＤＢ５にユーザの車両情報を登録した後、ステップ１５０に進む。また、駐車場利用者でなければそのままステップ１５０に進む。
【００３９】
ステップ１５０では、入力されたユーザ利用情報に基づいてホテル・テーマパーク利用者か否かを判定する。そして、それらの利用者であればステップ１６０にて利用者予約管理ＤＢ６にホテル・テーマパーク利用情報を登録した後、処理を終了する。また、ホテル・テーマパーク利用者でなければそのまま処理を終了する。
【００４０】
次に、ユーザが駐車場の予約を行った後、車両１にて駐車場の入口ゲートにきた場合、入口ゲートの電子ナンバープレート通信装置４および駐車場予約管理システムＰＳは、図３および図４に示す処理を実行する。
【００４１】
まず、図３に示されるように、電子ナンバープレート通信装置４は、ステップ２１０において、車両１が電子ナンバープレート通信装置４の通信エリアに進入したか否かを判定する。これは例えば上述した光学センサ等の車両感知部からの検知信号に基づいて行われる。そして、車両１が通信エリアに入った場合にはステップ２２０に進み、入っていない場合にはこの処理を繰り返す。
【００４２】
ステップ２２０では、通信開始車両情報を取得する処理を実行する。すなわち、電子ナンバープレート読取装置４ｃから発した電波に呼応して電子ナンバープレート２から車両情報を含む電波が発せられるため、この電波を電子ナンバープレート読取装置４ｃで受け取ることにより行われる。受け取った車両情報を含む電波は電子ナンバープレート読取装置４ｃにて信号に変換され、データ処理装置４ｄに送られる。
【００４３】
そして、ステップ２３０において、電子ナンバープレート読取装置４ｃでの通信結果に基づき、データ処理装置４ｄにて車両情報を受け取り通信が行われたか否かを判定する。これにより、通信が失敗してれば再度上記処理を繰り返し、成功していればステップ２４０に進み、データ処理装置４ｄにて受け取った信号から車両情報を取得する。
【００４４】
続くステップ２５０では、データ処理装置４ｄから駐車場予約管理システムＰＳに車両情報を含む信号を送る。
【００４５】
一方、データ処理装置４から車両情報を含む信号が送られると、駐車場予約管理システムＲＳは、図４に示すステップ３１０のように、そのデータ処理装置４ｄからの信号を取得する。そして、ステップ３２０において、予約車両管理ＤＢ５に登録された駐車場予約情報リストを検索し、受け取った車両情報と照合する。
【００４６】
ステップ３３０では、ステップ３２０の照合結果に基づいて、車両１が先にユーザにより駐車場の予約が成されている予約車両であるか否かを判定する。そして、予約車両であればステップ３４０に進み、予約車両専用ゲート誘導指示、つまり予約車両専用の駐車場へ誘導するための誘導指示信号およびゲートを開けるための開閉指示信号をデータ処理装置４ｄに送る。また、予約車両でなければステップ３５０に進み、一般車両専用ゲート誘導指示、つまり非予約車両用の駐車場へ誘導するための誘導指示信号をデータ処理装置４ｄに送る。
【００４７】
そして、これらの指示信号が駐車場予約管理システムＰＳから送られると、データ処理装置４は、図３に示すステップ２６０のように、その駐車場予約管理システムＰＳからの指示信号を取得する。そして、ステップ２７０において、各指示信号に基づいて車両１が予約車両であるか否かを判定し、予約車両であればステップ２８０およびステップ２９０において、予約車両専用ゲートへの誘導指示を電光掲示板４ｂで示すと共にゲート４ａを開閉する処理を行う。また、予約車両でなければステップ３００において、一般車両背専用ゲートへの誘導指示を電光掲示板４ｂで示す。
【００４８】
この後、ユーザが車両１を所定の駐車場に駐車させたのち、ホテルやテーマパークへ行き、それらのフロントで予約したユーザであるか否かが駐車場予約管理システムＰＳに備えられた利用者予約管理ＤＢ６にて調べられ、ユーザは予約したホテルやテーマパークを利用する。
【００４９】
続いて、ユーザがホテルやテーマパークを利用した後、車両１にて駐車場の出口ゲートに到着した場合、出口ゲートの電子ナンバープレート通信装置４および駐車場予約管理システムＰＳは、図５および図６に示す処理を実行する。
【００５０】
まず、図５に示されるように、電子ナンバープレート通信装置４は、ステップ４１０〜ステップ４５０において、図３のステップ２１０〜ステップ２５０に示したものと同様の処理を実行する。これらの処理により、データ処理装置４ｄから駐車場予約管理システムＰＳに車両情報を含む信号が送られる。
【００５１】
また、データ処理装置４から車両情報を含む信号が送られると、駐車場予約管理システムＰＳは、図６に示すステップ３１０およびステップ３２０において、図４に示したものと同様の処理を実行する。これにより、予約車両管理ＤＢ５における駐車場予約情報リストの登録内容と、データ処理装置４ｄから受け取った車両情報と照合される。
【００５２】
そして、ステップ５３０では、ステップ５２０の照合結果に基づいて、車両１による駐車場の利用時間が予約された時間内であるか否かが判定される。そして、予約時間内であればステップ５４０に進み、ゲートを開けるための開閉指示信号をデータ処理装置４ｄに送る。また、予約時間を超えていればステップ５５０に進み、追加料金請求金額等を示す追加料金請求指示信号ををデータ処理装置４ｄに送る。
【００５３】
そして、これらの指示信号が駐車場予約管理システムＰＳから送られると、データ処理装置４は、図５に示すステップ４６０のように、その駐車場予約管理システムＰＳからの指示信号を取得する。そして、ステップ４７０において、各指示信号に基づいて車両１の利用時間が予約時間内であるか否かを判定し、予約時間内であればステップ４８０において、ゲート４ａを開閉する処理を行う。また、予約時間内でなければステップ４９０において、追加料金を電光掲示板４ｂに表示させたのち、ステップ３８０に進んでゲート４ａを開閉する処理を行う。
【００５４】
なお、ユーザが利用時間を超えて駐車場を利用していた場合、予約の際に予めユーザ情報が分かっているため、電子決済などにより追加料金を請求することができる。
【００５５】
以上のように、本実施形態に示す駐車場予約管理システムでは、ユーザがユーザ端末ＵＭを利用して入力したユーザの利用情報が、予め通信ネットワークＴＮおよび予約オペレーションシステムＲＳを介して予約車両管理ＤＢ５および利用者予約管理ＤＢ６に登録される。そして、ユーザが車両１で予約した駐車場の入口ゲートにおける電子ナンバープレート通信装置４の前に到着すると、電子ナンバープレート読取装置４ｃにて電子ナンバープレート２からの車両情報を含む電波を受信したのち、予約車両管理ＤＢ５にて駐車場予約情報リストを検索し、受け取った車両情報と照合することにより、その車両１が利用予約したユーザのものであるか否か等を判定している。
【００５６】
従って、予めＩＣカード等の会員証を所有していなくても、電子ナンバープレート２からの情報に基づいて、利用予約したユーザの車両１か否かを判定することができ、駐車場を利用することが可能である。
【００５７】
一方、ユーザが駐車場利用を終え、車両１で出口ゲートにおける電子ナンバープレート通信装置４の前に到着すると、入口ゲートと同様の処理によって車両１が特定され、駐車場の利用期間に応じて追加料金の請求などの処理が行われるようになっている。このため、駐車場を出る際にも、会員証や駐車場利用カード等を所有していなくても、駐車場を出るために必要となる処理を行うことができる。
【００５８】
（他の実施形態）
上記実施形態では、駐車場の予約をインターネットを介して予約するものを示したが、インターネットに限るものではない。例えば、ユーザが電話などを用いて駐車場予約を行うような場合であっても、予めユーザの車両情報を予約車両管理ＤＢ５に登録しておくことで、ユーザが駐車場を利用する際に、会員証などを所有していなくても、予約車両であるか否かを判定することができる。これにより、上記実施形態と同様の効果を得ることができる。
【００５９】
また、上記実施形態では、駐車場の入口ゲートと出口ゲートのそれぞれに本発明の一実施形態を適用した電子ナンバープレート通信装置４を配置した例を示したが、必ずしも両方に適用する必要はない。例えば、入口ゲートに適用すれば駐車場の予約車両を特定できるし、出口ゲートに適用すれば車両１の駐車場利用時間を求めるのに利用することができる。この場合、入口ゲートで読み取った電子ナンバープレート２の車両情報および駐車場入庫時間を記憶することで駐車場利用時間を算出できえる。
【図面の簡単な説明】
【図１】本発明の第１実施形態にかかる駐車場予約システムの全体構成を示す模式図である。
【図２】予約オペレーションシステムＲＳが実行する処理を示したフローチャートである。
【図３】入口ゲートの電子ナンバープレート通信装置４が実行する処理を示したフローチャートである。
【図４】入口ゲートの電子ナンバープレート通信装置４の処理に対応して駐車場予約管理システムＰＳが実行する処理を示したフローチャートである。
【図５】出口ゲートの電子ナンバープレート通信装置４が実行する処理を示したフローチャートである。
【図６】出口ゲートの電子ナンバープレート通信装置４が実行する処理を示したフローチャートである。
【符号の説明】
１…車両、２…電子ナンバープレート、４…電子ナンバープレート通信システム、４ａ…ゲート、４ｂ…電光表示板、４ｃ…電子ナンバープレート読取装置、４ｄ…データ処理装置、５…予約車両管理ＤＢ、６…利用者予約管理ＤＢ、ＰＳ…駐車場予約管理システム、ＲＳ…予約オペレーションシステム、ＮＴ…通信ネットワーク、ＵＮ…ユーザ端末。
【図１】
2004302866.tif 000003
【図２】
2004302866.tif 000004
【図３】
2004302866.tif 000005
【図４】
2004302866.tif 000006
【図５】
2004302866.tif 000007
【図６】
2004302866.tif 000008